(57)【要約】【課題】使用者の身体各部位に対応する位置に複数の噴出口を配置した構成のシャワー入浴装置において、何れかの温水噴出口からの温水噴出量を変えても他の温水噴出口における温水の噴出量に影響を与えることなく常に快適にシャワー入浴を楽しめるシャワー入浴装置を提供する。【解決手段】使用者の身体各部位に温水を噴出するようにそれぞれ配置された複数の温水噴出口１１０，１２０，１３０，１４０と、複数の温水噴出口に温水をそれぞれ供給する複数の温水噴出用流路１１１，１２１，１３１，１４１と、湯水と冷水とが混合された温水を各温水噴出用流路に分配供給する共通温水流路１１を備えたシャワー入浴装置において、複数の温水噴出用流路中、少なくとも特定の一つの温水噴出用流路１１１の途中に流量調整弁１１５を備え、残りの各温水噴出用流路の途中に定流量弁１２５，１３５，１４５をそれぞれ備えている。【選択図】図１
2007202781.tif 000002
【特許請求の範囲】
【請求項１】
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路中、少なくとも特定の一つの温水噴出用流路の途中に流量調整弁を備え、
残りの各温水噴出用流路の途中に定流量弁をそれぞれ備えたことを特徴とするシャワー入浴装置。
【請求項２】
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路のうち少なくとも１つの温水噴出用流路の途中に流量調整弁を備えると共に、
前記共通温水流路の途中に圧力調整弁を備えたことを特徴とするシャワー入浴装置。
【請求項３】
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路の途中にそれぞれ流量調整弁を備えると共に、
前記各温水噴出用流路の途中であって各流量調整弁の上流側にそれぞれ定流量弁を備えたことを特徴とするシャワー入浴装置。
【請求項４】
前記特定の温水噴出口は単一の温水噴出口からなり、当該温水噴出口は使用者の胸部に向かって温水を噴出するように配置されたことを特徴とする、請求項１に記載のシャワー入浴装置。
【発明の詳細な説明】
【技術分野】
【０００１】
本発明は、複数の温水噴出口を設け、各温水噴出口が使用者の身体各部位に向けてそれぞれ温水を噴出するように配置されたシャワー入浴装置に関する。
【背景技術】
【０００２】
従来から複数の温水噴出口を設け、各温水噴出口が使用者の身体各部位に向けてそれぞれ温水を噴出するように配置されたシャワー入浴装置は知られている（例えば、特許文献１参照）。このような従来型のシャワー入浴装置は、使用者の身体各部位にそれぞれ温水を噴出するように配置された複数の温水噴出口と、これら複数の温水噴出口に個別に温水を供給する複数の温水噴出用流路と、湯水と冷水とが混合された温水を各温水噴出用流路に分配供給する共通温水流路を備え、各温水噴出用流路にはこの流路を通る温水の流量を調整する流量調整弁を備えている。
【０００３】
そして、使用者の好みの身体部位に対応する温水噴出口からの温水の圧力を変えたい場合、これに対応する温水噴出用流路の流量調整弁を捻って調整するようになっている。
【０００４】
また、かかる従来型のシャワー入浴装置の中には、使用者の胸への噴出刺激を調整できるようにこの部分に対応する温水噴出口の使用者に対する相対的位置を変更できるようにしたものもある。また、かかる従来型のシャワー入浴装置の中には、下肢部への温水の集中噴出を行い、マッサージ効果による血行促進を実現したものもある。
【特許文献１】特許第３５７８４２８号公報（４頁、図１）
【発明の開示】
【発明が解決しようとする課題】
【０００５】
しかしながら、最初の従来型のシャワー入浴装置の場合、共通温水流路を流れる温水の総流量は一定であるため、使用者の好みに合わせて特定の身体部位への温水噴出流量を変えたい場合、これに対応する温水噴出用流路の流量調整弁を捻ると、図５に示すように、これに伴って他の温水噴出用流路の流量も増加したり減少したりしてしまい、これに合わせて他の身体部位に噴出する温水から受ける刺激や温度も変化し、快適なシャワー入浴を楽しむことができない。
【０００６】
より具体的には、図５に示すように、シャワー入浴装置の使用者の身体が十分温まった後、逆上せを防止するために上腕部や下肢部に対応する温水噴出用流路の流量調整弁をより閉じて上腕部への温度噴出量Ｑ２及び下肢部への温水噴出量Ｑ３を急に減少させると、これに伴って身体各部位のうち温水の温度や圧力に比較的敏感な胸部への温水の噴出量Ｑ１が急に増加してしまい、使用者を不意に驚かしてしまったり使用者に違和感や不快感を与えてしまったりする。
【０００７】
同様に、身体の受熱部である下肢部に温水を噴出することによって身体をより温めたいと感じた場合、下肢部に対応する温水噴出用流路の流量調整弁をより開いて下肢部への温水の噴出量を急に増加させると、これに伴って使用者の胸部や上腕部への温水噴出量も急に減少してしまい、これらの部分へのマッサージ効果を低下させてしまうと共に使用者に違和感や不快感を与えてしまう。
【０００８】
また、上腕部へのマッサージ効果を高めるために上腕部に対応する温水噴出用流路の流量調整弁を開いて上腕部に噴出する温水の流量を増加させると、これに伴って身体の受熱部である下肢部に対する温水の噴出量が減少してしまい、特に冬場などのシャワー初期に使用者の身体を急激に温めることができず、違和感や不快感を与えてしまう。
【０００９】
一方、温水噴出口の位置調整可能な従来型のシャワー入浴装置の場合、温水噴出口の位置調整を行うと、これに伴って使用者の身体各部位への温水噴出面積が変わるため、温水を無駄に使ってしまったり使用者が満足するような温水の噴出が得られなかったりする。
【００１０】
また、使用者の下肢部への温水の集中的な噴出を行う従来型のシャワー入浴装置の場合、使用者の好みの身体部位に好みの圧力で温水を噴出できず、全身をリラックスさせることができない。
【００１１】
本発明の目的は、使用者の身体各部位に対応する位置に複数の噴出口を配置した構成のシャワー入浴装置において、何れかの温水噴出口からの温水噴出量を変えても他の温水噴出口における温水の噴出量に影響を与えることなく常に快適なシャワー入浴を楽しめるシャワー入浴装置を提供することにある。
【課題を解決するための手段】
【００１２】
上述した課題を解決するために、本発明にかかるシャワー入浴装置は、
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路中、少なくとも特定の一つの温水噴出用流路の途中に流量調整弁を備え、
残りの各温水噴出用流路の途中に定流量弁をそれぞれ備えたことを特徴としている。
【００１３】
シャワー入浴装置がこのような流量調整弁と定流量弁を有することで、少なくとも特定の一つの温水噴出口からの温水の噴出量を変えても、他の温水噴出口の温水噴出流量は定流量弁を介して変わらないので、シャワー入浴中に他の身体部位への温水噴出量が予期せず変化することなく、使用者が身体各部位に常に快適な温水噴出の刺激を受けることができる。
【００１４】
また、本発明の請求項２に記載のシャワー入浴装置は、
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路のうち少なくとも１つの温水噴出用流路の途中に流量調整弁を備えると共に、
前記共通温水流路の途中に圧力調整弁を備えたことを特徴としている。
【００１５】
シャワー入浴装置がこのような流量調整弁と圧力調整弁を備えることで、少なくとも特定の一つの温水噴出口の流量を変化させても、残りの各温水噴出口から噴出する温水の流量に影響を与えることはない。これによって、何れの温水噴出口の温水の噴出量を使用者の好みに合わせて自由に変えることができるので、シャワー入浴に関して異なる好みを有する様々な使用者に対応可能となる。
【００１６】
また、本発明の請求項３に記載のシャワー入浴装置は、
使用者の身体各部位に向けて温水を噴出するようにそれぞれ配置された複数の温水噴出口と、
前記複数の温水噴出口に温水をそれぞれ供給する複数の温水噴出用流路と、
湯水と冷水とが混合された温水を前記各温水噴出用流路に分配供給する共通温水流路を備えたシャワー入浴装置において、
前記複数の温水噴出用流路の途中にそれぞれ流量調整弁を備えると共に、
前記各温水噴出用流路の途中であって各流量調整弁の上流側にそれぞれ定流量弁を備えたことを特徴としている。
【００１７】
シャワー入浴装置がこのような流量調整弁と定流量弁を備えることで、少なくとも一つの特定の温水噴出口の温水噴出流量を変えても、他の温水噴出口の温水噴出流量が変化することなく、その結果、シャワー入浴中に好みに合わせた快適な刺激を使用者が常に受けることができる。また、身体各部位に対して好みの流量の温水噴出を得ることができるため、シャワー入浴に関して異なる好みを有する様々な使用者に対応可能となる。
【００１８】
また、本発明の請求項４に記載のシャワー入浴装置は、請求項１に記載のシャワー入浴装置において、
前記特定の温水噴出口は単一の温水噴出口からなり、当該温水噴出口は使用者の胸部に向かって温水を噴出するように配置されたことを特徴としている。
【００１９】
シャワー入浴装置がこのような温水噴出口を備えることで、噴出する温水の温度や圧力に敏感な胸部に向けられた温水噴出口の流量を調整可能にしつつ、この温水噴出口から噴出する温水の流量を変えても使用者の身体各部位に向けて温水を噴出する他の温水噴出口からの温水の流量を一定とすることができ、使用者が常に快適なシャワーを浴びることが可能となる。
【発明の効果】
【００２０】
本発明にかかるシャワー入浴装置を使用することで、特定の温水噴出口から噴出する温水の流量を変えても、他の温水噴出口から噴出する温水の流量に影響を与えることがないため、使用者の好みに応じて特定の身体部位に所望の量の温水を安心して噴出することができる。
【００２１】
その結果、使用者の身体各部位に最適な温度及び刺激を与えることができると共に、使用者の好みに応じた変更可能な温水噴出形態とすることができ、使用者がシャワー入浴中、全身がリラックした状態でマッサ-ジ効果と温熱効果を受けることができる。
【発明を実施するための最良の形態】
【００２２】
以下、本発明の第１の実施形態にかかるシャワー入浴装置について図面に基づいて説明するとなる。
【００２３】
本発明の第１の実施形態にかかるシャワー入浴装置１は、使用者の胸部、上腕部、上側下肢部、下側下肢部に向かってそれぞれ温水が噴出するように配置された４つの温水噴出口１１０，１２０，１３０，１４０と、各温水噴出口１１０，１２０，１３０，１４０の端部に接続された４本の温水噴出用流路１１１，１２１，１３１，１４１と、これらの温水噴出用流路１１１，１２１，１３１，１４１に温水を分配供給する共通温水流路１１と、湯水流路１２からの湯水と冷水流路１３からの冷水を混合して共通温水流路１１に温水を供給するサーモミキシングバルブ１４を備えている。
【００２４】
そして、このシャワー入浴装置１は、本実施形態の場合、使用者の胸部に向けた温水噴出口１１０に接続された温水噴出用流路１１１に流量調整弁１１５が備わり、その他の３本の温水噴出用流路、すなわち使用者の上腕部に向けて温水を噴出する温水噴出口１２０に接続された温水噴出用流路１２１、上側下肢部に向けて温水を噴出する温水噴出口１３０に接続された温水噴出用流路１３１、下側下肢部に向けて温水を噴出する温水噴出口１４０に接続された温水噴出用流路１４１にはそれぞれ定流量弁１２５，１３５，１４５を備えている。
【００２５】
そして、流量調整弁１１５は、使用者の操作又はここでは図示しない制御部による予め決められた制御パターンに基づく制御によって温水噴出用流路１１１を流れて使用者の胸部に噴出する温水の流量を調整可能としている。
【００２６】
また、その他の定流量弁１２５，１３５，１４５は、共通温水流路１１から温水噴出用流路１２１，１３１，１４１に分配された温水を使用者の上腕部に対応する温水噴出口１２０、上側下肢部に対応する温水噴出口１３０、下側下肢部に対応する温水噴出口１４０に常に一定の流量の温水として供給する役目を果たしている。
【００２７】
続いて、上述した構成を有するシャワー入浴装置１の作用について説明する。シャワー入浴装置１を使用者が使用し始めると、最初に、湯水流路１２から供給された湯水と冷水流路１３から供給された冷水がサーモミキシングバルブ１４で適当な温度になるように混合され、共通温水流路１１を介して各温水噴出用流路１１１，１２１，１３１，１４１に分配供給される。
【００２８】
そして、流量調整弁１１５の備わった使用者の胸部に対応する温水噴出用流路１１１に供給された温水は、図２中実線で示す流量で温水噴出口１１０から使用者の胸部に向かって噴出する。また、定流量弁１２５，１３５，１４５のそれぞれ備わった使用者の上腕部、上側下肢部、下側下肢部に対応する各温水噴出用流路１２１，１３１，１４１に供給された温水も、図２中実線で示す流量で各温水噴出口から使用者の上腕部、上側下肢部、下側下肢部に向かってそれぞれ噴出する。なお、図２においてはこれら３つの温水噴出用流路のうち、２つの温水噴出用流路の流量を代表して示している。
【００２９】
このように各温水噴出口１１０，１２０，１３０，１４０から温水を噴出している最中に、例えば図２に示すように、胸部に噴出する温水の流量Ｑ１を増加させて胸部に対するマッサージ効果を高めたくなった場合、使用者は図示しないシャワー操作部を操作して流量調整弁１１５をより開き、胸部に対応する温水噴出用流路１１１に流れる温水の流量を増加させて胸部に向かってより多くの温水を噴出させる。この場合、使用者の上腕部、上側下肢部、下側下肢部に対応する他の３本の温水噴出用流路１２１，１３１，１４１には定流量弁１２５，１３５，１４５が備わっているので、これらの温水噴出用流路１２１，１３１，１４１に流れる温水の流量はそのまま変化せず、増加することも減少することもなく、結果的に使用者の上腕部、上側下肢部、下側下肢部には一定流量の温水が噴出し続けて使用者に違和感や不快感を与えることはない。
【００３０】
なお、このような作用は胸部に向かって噴出する温水の流量を使用者が減少させる場合も同様である。すなわち、例えば高齢者がシャワー使用中に、温水の温度や圧力に対して比較的敏感な胸部に受ける温水からの刺激を弱めたくなったとき、流量調整弁１１５を制御して胸部に噴出する温水の流量を減少させる。この場合もここでは図示しないが、他の温水噴出用流路１２１，１３１，１４１に備わった定流量弁１２５，１３５，１４５の作用により、使用者の上腕部、上側下肢部、下側下肢部に向けて噴出する温水の流量は変化せず一定流量を保ち、その結果、シャワー使用中に使用者に違和感や不快感を与えることがない。
【００３１】
続いて、本発明の第２の実施形態にかかるシャワー入浴装置について説明する。なお、上述の実施形態と同等の構成については、対応する符号を付して詳細な説明を省略する。
【００３２】
本発明の第２の実施形態にかかるシャワー入浴装置２は、図３に示すように、使用者の胸部、上腕部、上側下肢部、下側下肢部に向かってそれぞれ温水が噴出するように配置された４つの温水噴出口２１０，２２０，２３０，２４０と、各温水噴出口２１０，２２０，２３０，２４０にそれぞれ端部が接続された４本の温水噴出用流路２１１，２２１，２３１，２４１と、これらの温水噴出用流路２１１，２２１，２３１，２４１に温水を分配供給する共通温水流路２１と、湯水流路２２からの湯水と冷水流路２３からの冷水を混合して共通温水流路２１に温水を供給するサーモミキシングバルブ２４を備えている。
【００３３】
そして、この第２の実施形態にかかるシャワー入浴装置２は、４本の温水噴出用流路２１１，２２１，２３１，２４１のそれぞれに流量調整弁２１５，２２５，２３５，２４５が備わると共に、共通温水流路２１のサーモミキシングバルブ２４の下流側に調圧弁２５が備わっている。
【００３４】
なお、調圧弁２５は、温水噴出用流路２１１，２２１，２３１，２４１に備わった流量調整弁２１５，２２５，２３５，２４５の何れかの流量調整弁を操作してこれに対応する温水噴出用流路の温水の流量を変化させても、共通温水流路２１を流れる温水の圧力を例えば０．２ＭＰａ程度の一定圧力に常に保ち、他の温水噴出用流路に流れる温水の流量を一定にする役目を果たしている。
【００３５】
その結果、使用者がシャワー使用中において何れか１つの温水噴出口の温水流量を変化させても、他の温水噴出口から噴出する温水の流量が変化することなく使用者に違和感や不快感を与えることはない。
【００３６】
具体的には、例えば、使用者の身体がシャワー入浴により十分温まった後、逆上せを防止するために下肢部に対応する温水噴出用流路２３１，２４１の流量調整弁２３５，２４５をより閉じて下肢部への温水噴出量を急に減少させても、これに伴って温水の温度や圧力に比較的敏感な胸部への温水噴出口２１０からの温水の噴出量（又は、下肢部が急に増加することがなく、使用者を不意に驚かしてしまったり使用者に違和感や不快感を与えてしまったりすることもない。
【００３７】
また、例えば使用者の身体がシャワー入浴により十分温まった後、逆上せを防止するために胸部に対応する温水噴出用流路２１１の流量調整弁２１５をより閉じて胸部への温水噴出量を急に減少させても、これに伴って温水噴出口２２０、２３０、２４０からの温水の噴出量が急に増加することがなく、使用者を不意に驚かしてしまったり使用者に違和感や不快感を与えてしまったりすることもない。
【００３８】
なお、本実施形態においては、上述した第１の実施形態と異なり、使用者の胸部に向かって噴出する温水以外の温水の流量、すなわち、使用者の上腕部に向かって噴出する温水の流量、上側下肢部、下側下肢部に向かって噴出する温水の流量の何れの流量も変化させることもできるが、何れの場合であっても他の温水噴出口からの温水の流量が変化することはなく、結果的にシャワー使用中の使用者に違和感や不快感を与えることはない。
【００３９】
続いて、本発明の第３の実施形態に係るシャワー入浴装置について図面に基づいて説明する。
【００４０】
なお、上述した各実施形態にかかるシャワー入浴装置と同等の構成については対応する符号を付して詳細な説明を省略する。
【００４１】
本発明の第３の実施形態にかかるシャワー入浴装置は、図４に示すように、使用者の胸部、上腕部、上側下肢部、下側下肢部に向かってそれぞれ温水が噴出するように配置された４つの温水噴出口３１０，３２０，３３０，３４０と、各温水噴出口３１０，３２０，３３０，３４０にそれぞれ一端が接続された４本の温水噴出用流路３１１，３２１，３３１，３４１と、これらの温水噴出用流路３１１，３２１，３３１，３４１に温水を分配供給する共通温水流路３１と、湯水流路３２からの湯水と冷水流路３３からの冷水を混合して共通温水流路３１に温水を供給するサーモミキシングバルブ３４を備えている。
【００４２】
そして、この第３の実施形態にかかるシャワー入浴装置３は、４本の温水噴出用流路３１１，３２１，３３１，３４１のそれぞれにおいて上流側に定流量弁３１５，３２５，３３５，３４５を備えると共に、下流側に流量調整弁３１６，３２６，３３６，３４６を備えている。なお、定流量弁３１５，３２５，３３５，３４５と流量調整弁３１６，３２６，３３６，３４６の役割は上述の実施形態と同様である。
【００４３】
第３の実施形態に係るシャワー入浴装置３がこのような構造を有することで、上述した第２の実施形態と同様に、使用者がシャワー使用中において特定の１つの温水噴出口の温水の流量を変化させても、他の温水噴出口から噴出する温水の流量が変化せず、その結果シャワー使用中の使用者に違和感や不快感を与えることはない。
【００４４】
従って、例えば高齢者がシャワー使用中に温水の温度の温度や圧力に対して比較的敏感な胸部に受ける温水からの刺激を弱めたい時、流量調整弁３１６を制御して胸部に噴出する温水の流量を減少させるが、上腕部、上側下肢部、下側下肢部に対応する他の温水噴出用流路３２１，３３１，３４１に備わった定流量弁３２５，３３５，３４５の作用により、使用者の上腕部、上側下肢部、下側下肢部に噴出する温水の流量は変化せずに一定流量を保ち、その結果、シャワー使用中に使用者に違和感や不快感を与えることがない。
【００４５】
また、使用者の身体がシャワー入浴により十分温まった後、逆上せを防止するために下肢部に対応する温水噴出用流路３３１，３４１の流量調整弁３３６，３４６をより閉じて下肢部への温水の噴出量を急に減少させても、これに伴って温水の温度や圧力に比較的敏感な胸部への温水の噴出量が急に増加することがなく、使用者を不意に驚かしてしまったり使用者に違和感や不快感を与えてしまったりすることもない。
【００４６】
また、例えば使用者の身体がシャワー入浴により十分温まった後、逆上せを防止するために胸部に対応する温水噴出用流路２１１の流量調整弁２１５をより閉じて胸部への温水噴出量を急に減少させても、これに伴って温水噴出口２２０、２３０、２４０からの温水の噴出量が急に増加することがなく、使用者を不意に驚かしてしまったり使用者に違和感や不快感を与えてしまったりすることもない。
【００４７】
また、例えば使用者が身体の受熱部である下肢への温水の噴出流量を高めて身体をより温めようとした場合、使用者の胸部や上腕部に向かって噴出する温水の流量が減少することもなく、使用者の上半身に対するマッサージ効果を低減させずに済み、これに伴う違和感や不快感をシャワー使用中に使用者に与えることがない。
【００４８】
以上説明したように、本発明の各実施形態にかかるシャワー入浴装置１〜３は、特定の温水噴出口から噴出する温水の流量を変えても、他の温水噴出口から噴出する温水の流量に影響を与えることがないため、特定の身体部位に使用者の好みに応じて所望の量の温水を噴出することができる。
【００４９】
その結果、使用者の身体各部位に最適な温度及び刺激を与える温水を噴出することができると共に、使用者の好みに応じて変更可能な温水噴出形態とすることができ、シャワー入浴中、使用者の全身がリラックした状態でマッサ-ジ効果と温熱効果を受けることができる。
【００５０】
また、本発明は各温水噴出口がシャワーボックス内壁面に配置されたいわゆるボックスタイプのシャワー入浴装置に適用しても良く、このような構成を有さない流路と温水噴出口が露出したいわゆるオープンタイプのシャワー入浴装置に適用しても良い。
【００５１】
なお、所定温度の温水を供給可能な給湯器からシャワー入浴装置の共通温水流路に適温の温水が直接供給される形態、すなわち湯水流路、冷水流路、サーモミキシングバルブを給湯器側に備えた形態の場合にも本発明のシャワー入浴装置は適用可能であることは言うまでもない。
【図面の簡単な説明】
【００５２】
【図１】本発明の第１の実施形態にかかるシャワー入浴装置の構成を使用者と共に概略的に示す図である。
【図２】図１に示したシャワー入浴装置の作用を説明する図であり、横軸にシャワー使用開始からの経過時間をとり、縦軸に各温水噴出口から噴出する温水の流量を示している。
【図３】本発明の第２の実施形態にかかるシャワー入浴装置を図１に対応して示す図である。
【図４】本発明の第３の実施形態にかかるシャワー入浴装置を図１に対応して示す図である。
【図５】従来のシャワー入浴装置の作用を図２に対応して示す図である。
【符号の説明】
【００５３】
１    シャワー入浴装置
１１    共通温水流路
１２    湯水流路
１３    冷水流路
１４    サーモミキシングバルブ
１１０，１２０，１３０，１４０    温水噴出口
１１１，１２１，１３１，１４１    温水噴出用流路
１１５    流量調整弁
１２５，１３５，１４５    定流量弁
２    シャワー入浴装置
２１    共通温水流路
２２    湯水流路
２３    冷水流路
２４    サーモミキシングバルブ
２５    調圧弁
２１０，２２０，２３０，２４０    温水噴出口
２１１，２２１，２３１，２４１    温水噴出用流路
２１５，２２５，２３５，２４５    流量調整弁
３    シャワー入浴装置
３１    共通温水流路
３２    湯水流路
３３    冷水流路
３４    サーモミキシングバルブ
３１０，３２０，３３０，３４０    温水噴出口
３１１，３２１，３３１，３４１    温水噴出用流路
３１５，３２５，３３５，３４５    定流量弁
３１６，３２６，３３６，３４６    流量調整弁
【図１】
2007202781.tif 000003
【図２】
2007202781.tif 000004
【図３】
2007202781.tif 000005
【図４】
2007202781.tif 000006
【図５】
2007202781.tif 000007